【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
少なくともイエローの記録剤、マゼンタの記録剤および第三の記録剤を用い、画素データに基づいて画像形成を行う画像形成方法であって、
ＣＩＥ−Ｌ＊ａ＊ｂ＊の色空間上において、前記第三の記録剤で記録媒体上に表現される色は、前記イエローの記録剤と前記マゼンタの記録剤との組み合わせにより前記記録媒体上に表現される色のうちの前記第三の記録剤で記録媒体上に表現される色が有する色相角と同じ色相角を有する色よりも明度が高く、かつ前記色再現領域内にある色相角を持ち、
前記イエローの記録剤で表現される色と前記マゼンタの記録剤で表現される色との前記色空間上の色相角差が６０〜１１３度である、
ことを特徴とする画像形成方法。
【請求項２】
前記第三の記録剤で記録媒体上に表現される色の前記色空間上の色相角が５０〜６５度であることを特徴とする請求項１に記載の画像形成方法。
【請求項３】
前記イエローの記録剤で記録媒体上に表現される色の前記色空間上の色相角が７０〜１００度であり、前記マゼンタの記録剤で記録媒体上に表現される色の前記色空間上の色相角が２５〜３３０度であることを特徴とする請求項１または請求項２に記載の画像形成方法。
【請求項４】
前記イエローの記録剤で表現される色と前記第三の記録剤で表現される色との間の色相角が１０〜４５度で、かつマゼンタの記録剤で表現される色と第三の記録剤で表現される色との前記色空間上の色相角差が３５〜８５度であることを特徴とする請求項１ないし請求項３のいずれかに記載の画像形成方法。
【請求項５】
前記記録剤として、さらにシアンの記録剤を用いることを特徴とする請求項１ないし請求項４のいずれかに記載の画像形成方法。
【請求項６】
前記記録剤として、さらに第五および第六の記録剤のうち少なくとも一つを用い、
前記色空間上において、前記第五の記録剤で記録媒体上に表現される色は、前記イエローの記録剤と前記シアンの記録剤との組み合わせにより前記記録媒体上に表現される色のうちの前記第五の記録剤で記録媒体上に表現される色が有する色相角と同じ色相角を有する色よりも明度が高く、かつ当該色再現領域内にある色相角を持ち、
前記色空間上において、前記第六の記録剤で記録媒体上に表現される色は、前記マゼンタの記録剤と前記シアンの記録剤との組み合わせにより前記記録媒体上に表現される色のうちの前記第六の記録剤で記録媒体上に表現される色が有する色相角と同じ色相角を有する色よりも明度が高く、かつ当該色再現領域内にある色相角を持つことを特徴とする請求項５に記載の画像形成方法。
【請求項７】
前記記録剤としてインクを用い、前記記録媒体に前記インクのドットを形成することで画像形成を行うことを特徴とする請求項１ないし請求項６のいずれかに記載の画像形成方法。
【請求項８】
イエローとマゼンタの色域内の色に対応した画素データを出力する場合、第三のインクのデータに加え、イエロー及びマゼンタの少なくとも一方のデータを含む画素データにすることを特徴とする請求項１ないし請求項７のいずれかに記載の画像形成方法。
【請求項９】
少なくともイエローの記録剤、マゼンタの記録剤および第三の記録剤を用い、画素データに基づいて画像形成を行う画像形成装置であって、
ＣＩＥ−Ｌ＊ａ＊ｂ＊の色空間上において、前記第三の記録剤で記録媒体上に表現される色は、前記イエローの記録剤と前記マゼンタの記録剤との組み合わせにより前記記録媒体上に表現される色のうちの前記第三の記録剤で記録媒体上に表現される色が有する色相角と同じ色相角を有する色よりも明度が高く、かつ前記色再現領域内にある色相角を持ち、
前記イエローの記録剤で表現される色と前記マゼンタの記録剤で表現される色との前記色空間上の色相角差が６０〜１１３度である、
ことを特徴とする画像形成装置。
【請求項１０】
少なくともイエローのインク、マゼンタのインクおよび第三のインクからなるインクセットであって、
ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色のうちの前記第三の記録剤で記録媒体上に表現される色が有する色相角と同じ色相角を有する色よりも明度が高く、かつ前記色再現領域内にある色相角を持ち、
前記イエローのインクで表現される色と前記マゼンタのインクで表現される色との前記色空間上の色相角差が６０〜１１３度である、
ことを特徴とするインクセット。
【請求項１１】
少なくともイエローのインク、マゼンタのインクとともに用いられる第三のインクであって、
ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色のうちの前記第三の記録剤で記録媒体上に表現される色が有する色相角と同じ色相角を有する色よりも明度が高く、かつ前記色再現領域内にある色相角を持ち、
前記イエローのインクで表現される色と前記マゼンタのインクで表現される色との前記色空間上の色相角差が６０〜１１３度である、
ことを特徴とするインク。
【手続補正２】
【補正対象書類名】明細書
【補正対象項目名】００２２
【補正方法】変更
【補正の内容】
【００２２】
本発明は、少なくともイエローの記録剤、マゼンタの記録剤および第三の記録剤を用い、画素データに基づいて画像形成を行う画像形成方法または画像形成装置であって、
ＣＩＥ−Ｌ＊ａ＊ｂ＊の色空間上において、前記第三の記録剤で記録媒体上に表現される色は、前記イエローの記録剤と前記マゼンタの記録剤との組み合わせにより前記記録媒体上に表現される色のうちの前記第三の記録剤で記録媒体上に表現される色が有する色相角と同じ色相角を有する色よりも明度が高く、かつ前記色再現領域内にある色相角を持ち、
前記イエローの記録剤で表現される色と前記マゼンタの記録剤で表現される色との前記色空間上の色相角差が６０〜１１３度である、
ことを特徴とする。
【手続補正３】
【補正対象書類名】明細書
【補正対象項目名】００２３
【補正方法】変更
【補正の内容】
【００２３】
また、本発明は、少なくともイエローのインク、マゼンタのインクおよび第三のインクからなるインクセットであって、
ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色のうちの前記第三の記録剤で記録媒体上に表現される色が有する色相角と同じ色相角を有する色よりも明度が高く、かつ前記色再現領域内にある色相角を持ち、
前記イエローのインクで表現される色と前記マゼンタのインクで表現される色との前記色空間上の色相角差が６０〜１１３度である、
ことを特徴とする。
【手続補正４】
【補正対象書類名】明細書
【補正対象項目名】００２４
【補正方法】変更
【補正の内容】
【００２４】
さらに、本発明は、少なくともイエローのインク、マゼンタのインクとともに用いられる第三のインクであって、
ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色のうちの前記第三の記録剤で記録媒体上に表現される色が有する色相角と同じ色相角を有する色よりも明度が高く、かつ前記色再現領域内にある色相角を持ち、
前記イエローのインクで表現される色と前記マゼンタのインクで表現される色との前記色空間上の色相角差が６０〜１１３度である、
ことを特徴とする。